(57)【要約】【課題】長期間暖房を運転しない場合でも、暖房回路の暖房水が腐敗しないようにする。【解決手段】給湯用熱交換器７で加熱された湯を追焚回路に給湯する自動お湯はり終了時に、暖房回路に所定の水量を供給して新鮮水と入れ替える制御手段３３を備えている。これによって、自動お湯はり終了時に、毎回暖房回路に所定の水量を供給して新鮮水と入れ替えるため、暖房回路の暖房水が腐敗しないように制御され使用勝手が向上する。【選択図】　図１
2004044865.tif 000002
【特許請求の範囲】
【請求項１】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り第１通路の下流に設けられたタンクと、前記追焚往き通路とタンクをつなぐバイパス通路と、前記追焚戻り通路と前記タンクをつなぐ暖房戻り第２通路と、前記追焚戻り通路と前記暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプとを備えて、前記給湯電磁弁で追焚回路に給湯終了後、所定の水量を前記追焚・暖房往き通路、往き通路切換弁、暖房往き通路、暖房端末機、暖房戻り第１通路、タンク、バイパス通路、追焚往き通路、浴槽へと連通する制御手段を備えた追焚・暖房機能付給湯装置。
【請求項２】
給湯電磁弁で追焚回路に給湯終了後、所定の水量を追焚通路・暖房往き通路、往き通路切換弁、暖房往き通路、暖房端末機、暖房戻り第１通路、タンク、バイパス通路、追焚往き通路、浴槽へと連通する制御において、自動お湯はりの設定流量から所定水量を引いた流量で、自動お湯はりする制御手段を備えた請求項１記載の追焚・暖房機能付給湯装置。
【請求項３】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプとを備え、前記給湯電磁弁で追焚回路に給湯終了後、所定の時間、前記追焚通路・暖房往き通路、往き通路切換弁、暖房往き通路、暖房端末機、暖房戻り第１通路、タンク、バイパス通路、追焚往き通路、浴槽へと連通する制御手段を備えた追焚・暖房機能付給湯装置。
【請求項４】
給湯電磁弁で追焚回路に給湯終了後、所定の時間、追焚・暖房通路、往き通路切換弁、暖房往き通路、暖房端末機、暖房戻り第１通路、タンク、バイパス通路、追焚往き通路、浴槽へと連通する制御において、自動お湯はりの設定流量から所定時間供給する水量を引いた流量で自動お湯はりする制御手段を備えた請求項３記載の追焚・暖房機能付給湯装置。
【請求項５】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路と前記タンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプとを備え、追焚運転終了後、所定の水量を、前記追焚通路・暖房往き通路、往き通路切換弁、暖房往き通路、暖房端末機、暖房戻り第１通路、タンク、バイパス通路、追焚往き通路、浴槽へと連通する制御手段を備えた追焚・暖房機能付給湯装置。
【請求項６】
追焚運転終了後、所定の水量を、追焚通路・暖房往き通路、往き通路切換弁、暖房往き通路、暖房端末機、暖房戻り第１通路、タンク、バイパス通路、追焚往き通路、浴槽へと連通する制御において、所定水量供給後は、一定時間、所定水量供給を実施しない制御手段を備えた請求項５記載の追焚・暖房機能付給湯装置。
【請求項７】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプとを備え、追焚運転終了後、所定の時間、前記追焚通路・暖房往き通路、往き通路切換弁、暖房往き通路、暖房端末機、暖房戻り第１通路、タンク、バイパス通路、追焚往き通路、浴槽へと連通する制御手段を備えた追焚・暖房機能付給湯装置。
【請求項８】
追焚運転終了後、所定の時間、追焚通路・暖房往き通路、往き通路切換弁、暖房往き通路、暖房端末機、暖房戻り第１通路、タンク、バイパス通路、追焚往き通路、浴槽へと連通する制御において、所定時間供給後は、一定時間、所定時間供給を実施しない制御手段を備えた請求項７記載の追焚・暖房機能付給湯装置。
【発明の詳細な説明】
【０００１】
【発明の属する技術分野】
本発明は、給湯と追焚と暖房ができる追焚・暖房機能付給湯装置に関するものである。
【０００２】
【従来の技術】
従来この種の１缶３水式熱交換器の追焚・暖房機能付給湯装置は、図２に示すような構成になっている。すなわち、給湯運転時には、給湯栓１を開くと水量センサー２が通水を検知した後、燃焼用ファン３が回転し、ガス元電磁弁４、ガス比例弁５が開き、バーナ６に着火し、給湯用熱交換器７で加熱される。
【０００３】
ここで給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１２を経て給湯栓１より給湯される。
【０００４】
また追焚運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、追焚往き通路２３、浴槽１６へ循環される。
【０００５】
また暖房運転時には、循環ポンプ１５により暖房端末機２４の暖房水２５は、暖房戻り第１通路２６、タンク２７、暖房戻り第２通路２８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４へ循環される。
【０００６】
そしてまた追焚、暖房同時運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４、タンク２７、バイパス通路３２、追焚往き通路２３、浴槽１６へ循環される。
【０００７】
さらにまた自動お湯はり運転時には、給湯用熱交換器７で加熱された湯は、給湯電磁弁３０が開き、一方は追焚・暖房戻り通路３１、追焚・暖房用熱交換器２０、追焚・暖房往き通路２１、往き通路切換弁２２、追焚往き通路２３から浴槽１６へ供給され、他方は戻り通路切換弁１９、追焚戻り通路１８から浴槽１６へ供給される。
【０００８】
【発明が解決しようとする課題】
しかしながら、従来の１缶３水式の追焚・暖房機能付給湯装置では、長期間暖房を運転しない場合には、暖房回路の暖房水が腐敗して追焚、暖房同時運転時に浴槽へ流出するという課題を有していた。
【０００９】
【課題を解決するための手段】
本発明は上記課題を解決するために、給湯用熱交換器で加熱された湯を追焚回路に給湯する自動お湯はり終了後に、暖房回路に所定の水量を供給して新鮮水と入れ替える制御手段を備えたものである。
【００１０】
上記発明によれば、自動お湯はり終了後に、毎回暖房回路に所定の水量を供給して新鮮水と入れ替えるため、暖房回路の暖房水が腐敗しないように制御できる。
【００１１】
【発明の実施の形態】
本発明の請求項１記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚通路・暖房戻り通路に設けられた浴槽水および暖房水を循環させる循環ポンプとを備えて、前記給湯電磁弁で追焚回路に給湯終了後、所定の水量を前記追焚・暖房往き通路、往き通路切換弁、暖房往き通路、暖房端末機、暖房戻り第１通路、タンク、バイパス通路、追焚往き通路、浴槽へと連通する制御手段を備えているため暖房回路の暖房水が腐敗しないように制御することができる。
【００１２】
請求項２記載の発明は、前記給湯電磁弁で追焚回路に給湯終了後、所定の水量を前記追焚通路・暖房往き通路、往き通路切換弁、暖房往き通路、暖房端末機、暖房戻り第１通路、タンク、バイパス通路、追焚往き通路、浴槽へと連通する制御において、自動お湯はりの設定流量から前記所定水量を引いた流量で、自動お湯はりする制御手段を備えているため浴槽水の増加を防止することが可能となる。
【００１３】
請求項３記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプとを備えて、前記給湯電磁弁で追焚回路に給湯終了後、所定の時間、前記追焚・暖房往き通路、往き通路切換弁、暖房往き通路、暖房端末機、暖房戻り第１通路、タンク、バイパス通路、追焚往き通路、浴槽へと連通する制御手段を備えているため、暖房回路の暖房水が腐敗しないように制御することができる。
【００１４】
請求項４記載の発明は、前記給湯電磁弁で追焚回路に給湯終了後、所定の時間、前記追焚・暖房往き通路、往き通路切換弁、暖房往き通路、暖房端末機、暖房戻り第１通路、タンク、バイパス通路、追焚往き通路、浴槽へと連通する制御において、自動お湯はりの設定流量から前記所定時間供給する水量を引いた流量で自動お湯はりする制御手段を備えているため浴槽水の増加を防止することが可能となる。
【００１５】
請求項５記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプとを備えて、追焚運転終了後、所定の水量を、前記追焚・暖房往き通路、往き通路切換弁、暖房往き通路、暖房端末機、暖房戻り第１通路、タンク、バイパス通路、追焚往き通路、浴槽へと連通する制御手段を備えているため、暖房回路の暖房水が腐敗しないように制御することができる。
【００１６】
請求項６記載の発明は、前記追焚運転終了後、所定の水量を、前記追焚・暖房往き通路、往き通路切換弁、暖房往き通路、暖房端末機、暖房戻り第１通路、タンク、バイパス通路、追焚往き通路、浴槽へと連通する制御において、所定水量供給後は、一定時間、所定水量供給を実施しない制御手段を備えているため浴槽水の増加を防止することが可能となる。
【００１７】
請求項７記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプとを備えて、追焚運転終了後、所定の時間、前記追焚・暖房往き通路、往き通路切換弁、暖房往き通路、暖房端末機、暖房戻り第１通路、タンク、バイパス通路、追焚往き通路、浴槽へと連通する制御手段を備えているため、暖房回路の暖房水が腐敗しないように制御することができる。
【００１８】
請求項８記載の発明は、前記追焚運転終了後、所定の時間、前記追焚・暖房往き通路、往き通路切換弁、暖房往き通路、暖房端末機、暖房戻り第１通路、タンク、バイパス通路、追焚往き通路、浴槽へと連通する制御において、所定時間供給後は、一定時間、所定時間供給を実施しない制御手段を備えているため浴槽水の増加を防止することが可能となる。
【００１９】
【実施例】
以下、本発明の実施例について図面を用いて説明する。なお、従来例と同一部品には同一番号を付し説明する。
【００２０】
（実施例１）
図１は本発明の実施例１の１缶３水式熱交換器の追焚・暖房機能付給湯装置の構造図である。給湯運転時には、給湯栓１を開くと水量センサー２が通水を検知した後、燃焼用ファン３が回転し、ガス元電磁弁４、ガス比例弁５が開き、バーナ６に着火し、給湯用熱交換器７で加熱される。ここで給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１２を経て給湯栓１より給湯される。
【００２１】
次に追焚運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、追焚往き通路２３、浴槽１６へ循環される。
【００２２】
次に暖房運転時には、循環ポンプ１５により暖房端末機２４の暖房水２５は、暖房戻り第１通路２６、タンク２７、暖房戻り第２通路２８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４へ循環される。
【００２３】
次に追焚、暖房同時運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４、タンク２７、バイパス通路３２、追焚往き通路２３、浴槽１６へ循環される。
【００２４】
次に自動お湯はり運転時には、給湯用熱交換器７で加熱された湯は、給湯電磁弁３０が開き、一方は追焚・暖房戻り通路３１、追焚・暖房用熱交換器２０、追焚・暖房往き通路２１、往き通路切換弁２２、追焚往き通路２３から浴槽１６へ供給され、他方は戻り通路切換弁１９、追焚戻り通路１８から浴槽１６へ供給される。
【００２５】
ここで自動お湯はり運転終了後に、給湯電磁弁３０が開き所定の水量を追焚・暖房往き通路２１、往き通路切換弁２２、暖房往き通路２９、暖房端末機２４、暖房戻り第１通路２６、タンク２７、バイパス通路３２、追焚往き通路２３、浴槽１６へと連通する制御手段３３を備えていることにより、毎回暖房回路を新鮮水と入れ替えるため、暖房回路の暖房水が腐敗しないように制御することが可能となる。
【００２６】
（実施例２）
本発明の実施例２は、前記実施例１で、給湯電磁弁で追焚回路に給湯終了後、所定の水量を前記追焚・暖房往き通路、往き通路切換弁、暖房往き通路、暖房端末機、暖房戻り第１通路、タンク、バイパス通路、追焚往き通路、浴槽へと連通する制御において、自動お湯はりの設定流量から前記所定水量を引いた流量で、自動お湯はりする制御手段を備えていることにより、浴槽水の増加を防止することが可能となる。
【００２７】
（実施例３）
本発明の実施例３の追焚・暖房機能付給湯装置を同図１にて説明する。実施例１の構成と異なるところは、給湯電磁弁３０を制御する別の制御手段３３を設けた点である。
【００２８】
自動お湯はり運転終了後に、給湯電磁弁３０が開き所定の時間、追焚・暖房往き通路２１、往き通路切換弁２２、暖房往き通路２９、暖房端末機２４、暖房戻り第１通路２６、タンク２７、バイパス通路３２、追焚往き通路２３、浴槽１６へと連通する制御手段３３を備えていることにより、毎回暖房回路を新鮮水と入れ替えるため、暖房回路の暖房水が腐敗しないように制御することが可能となる。
【００２９】
（実施例４）
本発明の実施例４は、前記実施例３で給湯電磁弁で追焚回路に給湯終了後、所定の水量を前記追焚・暖房往き通路、往き通路切換弁、暖房往き通路、暖房端末機、暖房戻り第１通路、タンク、バイパス通路、追焚往き通路、浴槽へと連通する制御において、自動お湯はりの設定流量から前記所定時間供給する水量を引いた流量で自動お湯はりする制御手段を備えていることにより、浴槽水の増加を防止することが可能となる。
【００３０】
（実施例５）
本発明の実施例５の追焚・暖房機能付給湯装置を同図１にて説明する。実施例１の構成と異なるところは、給湯電磁弁３０を制御する別の制御手段３３を設けた点である。
【００３１】
追焚運転終了後に、給湯電磁弁３０が開き所定の水量を、追焚・暖房往き通路２１、往き通路切換弁２２、暖房往き通路２９、暖房端末機２４、暖房戻り第１通路２６、タンク２７、バイパス通路３２、追焚往き通路２３、浴槽１６へと連通する制御手段３３を備えていることにより、毎回暖房回路を新鮮水と入れ替えるため、暖房回路の暖房水が腐敗しないように制御することが可能となる。
【００３２】
（実施例６）
本発明の実施例６は、前記実施例５で追焚運転終了後、所定の水量を、前記追焚・暖房往き通路、往き通路切換弁、暖房往き通路、暖房端末機、暖房戻り第１通路、タンク、バイパス通路、追焚往き通路、浴槽へと連通する制御において、所定水量供給後は、一定時間例えば２４時間は、所定水量供給を実施しない制御手段を備えていることにより、浴槽水の増加を防止することが可能となる。
【００３３】
（実施例７）
本発明の実施例７の追焚・暖房機能付給湯装置を同図１にて説明する。実施例１の構成と異なるところは、給湯電磁弁３０を制御する別の制御手段３３を設けた点である。
【００３４】
追焚運転終了後に、給湯電磁弁３０が開き所定の時間、追焚・暖房往き通路２１、往き通路切換弁２２、暖房往き通路２９、暖房端末機２４、暖房戻り第１通路２６、タンク２７、バイパス通路３２、追焚往き通路２３、浴槽１６へと連通する制御手段３３を備えていることにより、毎回暖房回路を新鮮水と入れ替えるため、暖房回路の暖房水が腐敗しないように制御することが可能となる。
【００３５】
（実施例８）
本発明の実施例６は、前記実施例５で追焚運転終了後、所定の時間、前記追焚・暖房往き通路、往き通路切換弁、暖房往き通路、暖房端末機、暖房戻り第１通路、タンク、バイパス通路、追焚往き通路、浴槽へと連通する制御において、所定時間供給後は、一定時間例えば２４時間は、所定時間供給を実施しない制御手段を備えていることにより、浴槽水の増加を防止することが可能となる。
【００３６】
【発明の効果】
以上のように本発明によれば、自動お湯はり運転終了時に、所定の水量または所定の時間、毎回暖房回路を新鮮水と入れ替える制御手段を備えているため、暖房回路の暖房水が腐敗しないように制御して使用勝手を向上するという効果が得られる。さらに、自動お湯はりの設定流量から供給した水量を引いた流量で、自動お湯はりする制御手段を備えているため、浴槽水の増加を防止するという効果が得られる。
【００３７】
また、追焚運転終了時に、所定の水量または所定の時間、毎回暖房回路を新鮮水と入れ替える制御手段を備えているため、暖房回路の暖房水が腐敗しないように制御して使用勝手を向上するという効果が得られる。さらに、新鮮水と入れ替えた後は、一定時間は、再度供給を実施しない制御手段を備えていることにより、浴槽水の増加を防止することが可能となる。
【図面の簡単な説明】
【図１】本発明の実施例１の形態による追焚・暖房機能付給湯装置を示す構成図
【図２】従来の追焚・暖房機能付給湯装置を示す構成図
【符号の説明】
１　給湯栓
２　水量センサー
３　燃焼用ファン
４　ガス元電磁弁
５　ガス比例弁
６　バーナ
７　給湯用熱交換器
８　給湯回路
９　バイパス制御弁
１０　遠隔操作用リモコン
１１　出湯サーミスター
１２　給湯接続口
１３　流水検知部
１５　循環ポンプ
１６　浴槽
１７　浴槽水
１８　追焚戻り通路
１９　戻り通路切換弁
２０　追焚・暖房用熱交換器
２１　追焚・暖房往き通路
２２　往き通路切換弁
２３　追焚往き通路
２４　暖房端末機
２５　暖房水
２６　暖房戻り第１通路
２７　タンク
２８　暖房戻り第２通路
２９　暖房往き通路
３０　給湯電磁弁
３１　バイパス通路
３３　制御手段
【図１】
2004044865.tif 000003
【図２】
2004044865.tif 000004